【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
悪化前の状態における患者の骨の少なくとも一部を表す回復済み骨モデルを生成する方法であって、
悪化した状態における前記患者の骨の前記少なくとも一部を表す悪化した骨モデルの基準部分から基準情報を決定するステップと、
前記基準情報を使用し、前記悪化した骨モデルの悪化した部分を前記悪化前の状態における前記悪化した部分を表す回復済みの部分に回復させるステップと、
を有する方法。
【請求項２】
前記基準部分は、前記患者の骨の前記少なくとも一部の悪化していない部分を表す前記悪化した骨モデルの一部と関連する請求項１記載の方法。
【請求項３】
前記基準情報は、前記基準部分と関連する少なくとも１つの画像等高線と関連する請求項２記載の方法。
【請求項４】
前記基準情報は、前記少なくとも１つの画像等高線と関連する楕円、プレーン、ベクトル、又はライン情報の中の少なくとも１つのものを含む請求項３記載の方法。
【請求項５】
前記悪化していない部分は、大腿骨顆又は脛骨高原の中の少なくとも１つのものと関連する請求項２記載の方法。
【請求項６】
前記基準情報は、ベクトル情報を含む請求項１記載の方法。
【請求項７】
前記基準情報を使用して前記悪化した骨モデルの悪化した部分を前記悪化前の状態における前記悪化した部分を表す回復済みの部分に回復させるステップは、前記基準情報を使用し、前記悪化した部分と関連する少なくとも１つの画像等高線を変更するステップを含む請求項１記載の方法。
【請求項８】
前記少なくとも１つの画像等高線は、骨等高線又は軟骨等高線の中の少なくとも１つのものを表す請求項３又は７記載の方法。
【請求項９】
前記少なくとも１つの画像等高線は、骨等高線を表す請求項７記載の方法。
【請求項１０】
前記少なくとも１つの画像等高線は、ＭＲＩ又はＣＴの中の少なくとも１つのものを介して生成された少なくとも１つの画像から得られる請求項３又は７記載の方法。
【請求項１１】
前記回復済み骨モデルの精度を検証するステップを更に有する請求項１記載の方法。
【請求項１２】
前記回復済みモデルの前記精度は、前記回復済み骨モデルの滑車溝に沿って延長する軸が、前記回復済み骨モデルと関連する関節線と関連するラインとの垂直状態の約６度以内である場合に、許容可能である請求項１１記載の方法。
【請求項１３】
カスタマイズされた関節形成ジグを製造するための製造命令を定義する際に前記回復済み骨モデルを利用するステップを更に有する請求項１記載の方法。
【請求項１４】
悪化前の状態における患者の骨の少なくとも一部を表すコンピュータ化骨モデルを生成する方法であって、
悪化した状態における前記患者の骨の少なくとも１つの画像を生成するステップと、
前記患者の骨のほぼ悪化していない部分と関連する基準部分を同定するステップと、
前記患者の骨のほぼ悪化した部分と関連する悪化した部分を同定するステップと、
前記基準部分と関連する少なくとも１つの画像からの情報を使用し、前記ほぼ悪化した部分と関連する少なくとも１つの画像と関連する少なくとも１つの側面を変更するステップと、
を有する方法。
【請求項１５】
前記患者の骨は、大腿骨及び脛骨の中の少なくとも１つのものである請求項１４記載の方法。
【請求項１６】
悪化前の状態における患者の第１の骨の少なくとも一部を表すコンピュータ化骨モデルを生成する方法であって、
悪化した状態における前記患者の第１の骨の少なくとも１つの画像を生成するステップと、
患者の第２の骨のほぼ悪化していない部分と関連する基準部分を同定するステップと、
前記患者の第１の骨のほぼ悪化した部分と関連する悪化した部分を同定するステップと、
前記基準部分と関連する少なくとも１つの画像からの情報を使用し、前記ほぼ悪化した部分と関連する少なくとも１つの画像と関連する少なくとも１つの側面を変更するステップと、
を有する方法。
【請求項１７】
前記患者の第１の骨は、第１の関節の一部であり、且つ、前記患者の第２の骨は、第２の関節の一部である請求項１６記載の方法。
【請求項１８】
前記患者の第１の骨及び前記患者の第２の骨は、同一の関節の一部である請求項１６記載の方法。
【請求項１９】
前記少なくとも１つの側面は、少なくとも１つの等高線を含む請求項１４又は１６記載の方法。
【請求項２０】
前記少なくとも１つの等高線は、骨等高線を表す請求項１９記載の方法。
【請求項２１】
前記少なくとも１つの等高線は、骨等高線又は軟骨等高線の中の少なくとも１つのものを表す請求項１９記載の方法。
【請求項２２】
結果的に得られるコンピュータ化骨モデルに、少なくとも、前記ほぼ悪化していない部分と関連する少なくとも１つの画像と関連する少なくとも１つの等高線と、前記ほぼ悪化した部分と関連する前記少なくとも１つの画像と関連する前記変更済みの少なくとも１つの等高線と、をコンパイルするステップを更に有する請求項１９記載の方法。
【請求項２３】
前記結果的に得られるコンピュータ化骨モデルは、前記悪化前の状態における前記患者の骨の前記少なくとも一部を表す前記コンピュータ化骨モデルである請求項２２記載の方法。
【請求項２４】
前記結果的に得られるコンピュータ化骨モデルは、骨のみを表す請求項２３記載の方法。
【請求項２５】
前記結果的に得られるコンピュータ化骨モデルは、骨又は軟骨の中の少なくとも１つのものを表す請求項２３記載の方法。
【請求項２６】
前記情報は、楕円情報、円情報、ライン情報、プレーン情報、又はベクトル情報の中の少なくとも１つのものを含む請求項１４又は１６記載の方法。
【請求項２７】
前記情報は、ベクトル情報を含む請求項１４又は１６記載の方法。
【請求項２８】
前記情報は、大腿骨顆及び脛骨高原の中の少なくとも１つのものと関連する請求項１４又は１６記載の方法。
【請求項２９】
前記患者の第１の骨は、大腿骨又は脛骨の中の少なくとも１つのものである請求項１６記載の方法。
【請求項３０】
前記悪化前の状態における前記患者の第１の骨の前記少なくとも一部を表す前記コンピュータ化骨モデルの精度を検証するステップを更に有する請求項１４又は１６記載の方法。
【請求項３１】
前記悪化前の状態における前記患者の第１の骨の前記少なくとも一部を表す前記コンピュータ化骨モデルの前記精度は、前記悪化前の状態における前記患者の第１の骨の前記少なくとも一部を表す前記コンピュータ化骨モデルの滑車溝に沿って延長する軸が、前記悪化前の状態における前記患者の第１の骨の前記少なくとも一部を表す前記コンピュータ化骨モデルと関連する関節線と関連するラインとの垂直の状態のほぼ６度以内である場合に、許容可能である請求項３０記載の方法。
【請求項３２】
悪化前の状態における患者の第１の骨の少なくとも一部を表すコンピュータ化骨モデルを生成する方法であって、前記患者の第１の骨は、患者の第１の関節の一部である、方法であって、
第２の関節の患者の第２の骨を同定するステップであって、前記第２の骨は、前記患者の第１の骨のほぼ対称的な鏡像である、ステップと、
前記患者の第２の骨がほぼ悪化していない状態にあった際の前記患者の第２の骨の複数の画像を生成するステップと、
前記複数の画像をミラーリングし、前記複数の画像の順序を逆転させるステップと、
前記逆転された順序における前記複数の画像をコンパイルし、前記患者の第１の骨の前記少なくとも一部を表す前記コンピュータ化骨モデルを形成するステップと、
を有する方法。
【請求項３３】
前記第１及び第２の関節は、膝関節である請求項３２記載の方法。
【請求項３４】
前記第１及び第２の関節は、膝関節、肘関節、臀部関節、手首関節、肩関節、又は足首関節から構成された群から選択される請求項３２記載の方法。
【請求項３５】
前記画像は、ＭＲＩ又はＣＴの中の少なくとも１つのものを介して生成される請求項１４、１６又は３２記載の方法。
【請求項３６】
カスタマイズされた関節形成ジグを製造するための製造命令を定義する際に前記悪化前の状態における前記患者の第１の骨の前記少なくとも一部を表す前記コンピュータ化骨モデルを利用するステップを更に有する請求項１４、１６又は３２記載の方法。
【請求項３７】
請求項１３又は３６記載の方法に従って製造されたカスタマイズされた関節形成ジグ。
【請求項３８】
前記ジグは、人工埋植物が患者の関節を自然なアライメントに回復させることを促進するべく構成されている請求項３７記載のカスタマイズされた関節形成ジグ。
【請求項３９】
前記人工埋植物は、全関節置換又は部分的関節置換用である請求項３８記載のカスタマイズされた関節形成ジグ。